(57)【要約】【課題】特定の送信者と受信者との間で、第三者に読まれるおそれのなく極秘データを送受信できること。【解決手段】送信部１は、フレームパルス生成部１１がフレーム回線３を経て送信すると共に、データ生成部１２がデータ回線４を経て送信し、その場合、データ回線４のいずれかの選択された光ファイバケーブルがデータパルスを送信する。受信部２は、フレームパルス受信部２１がフレーム回線３を経て受信し、フレームパルス信号を受信すると共にデータ受信部２２がデータ回線４を経たデータパルスを受信し、その場合、光スイッチ２３が、データの送信されている光ファイバケーブルと選択的に切り換え接続され、データパルスを受信する。【選択図】　図１
2004129176.tif 000002
【特許請求の範囲】
【請求項１】
送信者と受信者との間でデータを送受信する光伝送方法において、
フレームパルス信号と、データパルス信号とを異なる専用の回線でそれぞれ送信する一方、フレームパルス信号とこれと所定の遅延時間差をもつデータパルス信号とを受信したときにのみ、送受信することを特徴とする光伝送方法。
【請求項２】
請求項１記載の光伝送方法において、
データパルスの送信時、選択された時間差で遅延させて送信することを特徴とする光伝送方法。
【請求項３】
送信側及び受信側間で、フレームパルス信号とデータパルス信号とを含むデータを送受信する光伝送装置において、
フレームパルス信号を送信するフレーム回線と、該フレーム回線と別個に複数配線され、かつデータパルス信号を選択的に送信するデータ回線とを備えることを特徴とする光伝送装置。
【請求項４】
請求項３記載の光伝送装置において、
前記データ回線は、長さの異なる複数本の光ファイバケーブルと、該光ファイバケーブルを選択的に接続する切換スイッチとを有していることを特徴とする光伝送装置。
【請求項５】
請求項４記載の光伝送装置において、
前記切換スイッチは、光スイッチであることを特徴とする光伝送装置。
【発明の詳細な説明】
【０００１】
【発明の属する技術分野】
本発明は、光伝送方法及び光伝送装置に係り、特に、極秘データを特定の送受信者間でのみ送受信するのに好適な技術に関するものである。
【０００２】
【従来の技術】
一般に、光伝送回線を利用し、データが光信号で送受信されるとき、データの先頭を表す信号と、データ内容である信号とが同一回線を通して連続的に送信され、データの先頭を表す信号を受けると、それに続いて送信されてくるデータを受信することで再生できるようになっている。
この場合、光信号を送受信する回線としての光ファイバケーブルが一本であって、その一本の光ファイバケーブルにデータの先頭を表すフレームパルス信号と、データ内容を表すデータパルス信号が共に送信され、かつ受信されることで行われている。
【０００３】
【発明が解決しようとする課題】
このように、光伝送装置は、敷設された一本の光ファイバケーブルを利用することで、データの送信及び受信が行われているので、例えば、特定の送信者と受信者との間で、第三者に見られたくないような極秘性のあるデータを送受信することが困難であった。
【０００４】
本発明の目的は、上記従来技術の問題点に鑑み、特定の送信者と受信者との間で、第三者に読まれるおそれのないように極秘データを送受信することができる光伝送方法を提供することにあり、他の目的は、上記方法を的確に実施することができる光伝送装置を提供することにある。
【０００５】
【課題を解決するための手段】
上記課題を解決するために本発明においては、以下の手段を採用している。
請求項１に係る発明は、送信者と受信者との間でデータを送受信する光伝送方法において、フレームパルス信号と、データパルス信号とをそれぞれ別の光ファイバケーブルで送受信することを特徴とする。
【０００６】
この発明に係る光伝送方法は、フレームパルス信号の送受信と、データパルスの送受信とを別々に行うので、それぞれの信号を単に受け取ってもデータを再生することができず、データの極秘性を保つことができる。
【０００７】
請求項２に係る発明は、請求項１記載の光伝送方法において、データパルスの送信時、選択的な時間差で遅延させて送信することを特徴とする。
この発明に係る光伝送方法は、選択的な時間差で遅延してデータパルスの送信、受信を行うので、特定の送受信者間での良好な通信を行うことができ、これによってもデータの極秘性を保つことができ、極秘データの漏洩を図ることができる。
【０００８】
請求項３に係る発明は、送信側及び受信側間で、フレームパルス信号とデータパルス信号とを含むデータを送受信する光伝送装置において、フレームパルス信号を送信するフレーム回線と、該フレーム回線と別個に複数配線され、かつデータパルス信号を選択的に送信するデータ回線とを備えることを特徴とする。
【０００９】
この発明に係る光伝送装置は、フレームパルス用の専用回線と、データパルス用の回線とが別個に複数構成され、選択的に受信するデータ回線とを備えているので、フレームパルスと、選択的されたデータ回線とのデータを受信することでデータを確実に送受信できるように構成したので、フレームパルスのデータ、データパルスのデータを単に受信しただけでは、データの内容が第三者に再現されるおそれがなく、データの漏洩防止を図ることができ、データの極秘性を保つことができる。
【００１０】
請求項４に係る発明は、請求項３記載の光伝送装置において、前記データ回線は、長さの異なる複数本の光ファイバケーブルと、該光ファイバケーブルを選択的に接続する切換スイッチとを有していることを特徴とする。
この発明に係る光伝送装置は、切換スイッチの切り換えで、複数本からなる光ファイバケーブルを選択するので、選択された光ファイバケーブルの長さに応じてデータが遅延される結果、フレームパルスとデータパルスとの双方を受信することで極秘データを的確に受信して再現することができ、データの極秘性をいっそう実現することができる。
【００１１】
請求項５に係る発明は、請求項４記載の光伝送装置において、前記切換スイッチは、光スイッチであることを特徴とする。
この発明に係る光伝送装置は、光データ信号を変換することなくそのまま伝送できるので、構成が複雑になるおそれがなく、スムースな送受信が可能となる。
【００１２】
【発明の実施の形態】
以下、本発明の実施の形態を、図面に基づいて説明する。図１は本発明の一実施の形態に係る光伝送方法を適用した光伝送装置の一実施形態を示している。
この光伝送装置は、図１に示すように、送信部１と、受信部２と、両者１、２間にフレームパルス信号を送信するためのフレーム回線３と、データパルス信号を送信するためのデータ回線４とを備えている。
【００１３】
送信部１は、フレームパルス生成部１１と、データ生成部１２を有し、フレームパルス生成部１１がデータの先頭を表すフレームパルス信号をフレーム回線３を経て送信すると共に、データ生成部１２がデータパルス信号データ回線４を経て送信するようになっている。その場合、データ回線４は、長さの異なる複数の光ファイバケーブル４ａ，４ｂ…４ｎがそれぞれ引き出されており、そのいずれかの光ファイバケーブルが光スイッチ１３によって選択的に切り換えられることで、選択された光ファイバケーブルがデータパルスを送信するようになっている。光スイッチ１３は、送信すべきデータに基づき、いずれかの一方の光ファイバケーブル４ａ，４ｂ…４ｎを自動的に選定できるようになっている。
【００１４】
受信部２は、フレームパルス受信部２１と、データ受信部２２とを有し、フレームパルス受信部２１がフレーム回線３を経て受信することで、フレームパルス信号を受信すると共に、データ受信部２２がデータ回線４を経たデータパルスを受信するようになっている。
その場合、光スイッチ２３がオペレータの操作により、データの送信されている光ファイバケーブル４ａ、４ｂ…４ｎと選択的に切り換え接続され、これにより、データ受信部２２がフレームパルス送信部１１からのフレームパルスと同一周期のデータパルスを受信できるようになっている。
【００１５】
そのため、送信部１の光スイッチ１３及び受信部２の光スイッチ２３は、送受信されるデータに基づき、いずれかの光ファイバケーブル４ａ，４ｂ…４ｎと接続可能に切り換えられるようになっている。
【００１６】
このような光伝送装置は、送信者から受信者へ極秘データを送信するに際し、予め、次に送信するデータが極秘データである旨を告げておく。この場合、例えば、送信者と受信者とが話し合いによってきめてもよいし、或いは今現在送信しているデータの最後尾に、極秘データを送るための番号を付与しておく。この番号は、極秘データの日にち，時間等を特定する他、光スイッチの切り換え内容を表示している。
【００１７】
そして、その後の極秘データの送信は、以下のようにして行う。即ち、極秘データの送信に際し、送信部１のフレームパルス生成部１１が極秘データのフレームパルス信号をフレーム回線３より送信すると共に、光スイッチ１３が送信すべきデータ回線４ａ，４ｂ…４ｎのいずれかを選択的に切り換え接続することで、選択されたデータ回線からデータパルスが送信されることとなる。
【００１８】
一方、受信部２において、フレームパルス受信部２１がフレーム回線３から極秘データのフレームパルス信号を受信すると共に、受信者が、予め申し合わせた番号に対応するデータ回線４と接続されるように光スイッチ２３を切り換えることで、データ受信部２２がフレームパルスデータに遅延した形態で極秘データを受信し、これにより、極秘データのフレームパルス及びデータパルスを受信することで、極秘データを確実に再生でき、特定の送受信間だけでのデータの送受信を行うことができる。
【００１９】
その場合、例えば、第三者がフレーム回線３を通じてフレームパルス信号を受信することができても、該フレームパルスに対応する内容のデータパルスを受信しない限り、データを再生することができず、しかもデータパルスを送信しているデータ回線４ａ，４ｂ…４ｎをいずれかに選択することもできないので、データ内容を正確に受信できず、また正確に再生することができない。
【００２０】
即ち、本発明方法において、特定の送受信者間でフレームパルス信号をフレーム回線で送信するので、第三者がフレームパルスだけを受け取っても、肝心のデータ内容を受け取ることができず、また、フレーム回線３と異なるデータ回線４を利用してデータパルスを送信するので、データパルスだけを受け取ってもデータを再現することができず、従って、フレーム回線３からのフレームパルス信号と、それに合わせ、遅延されて送信されるデータパルス信号を受信することで、極秘データを再現できるように構成したので、極秘データを第三者が見ることができず、特定の送受信間でのデータの極秘性を実現することができる。このような光伝送においては、送信部１と受信部２間で専用路として敷設されている中で、極秘データを送受信するのに特に有益となる。
【００２１】
そして、この実施形態の光伝送装置は、フレームパルス信号を送信するフレーム回線３と、これと別個に配線された複数本のデータ回線４（４ａ，４ｂ…４ｎ）と、データ回線４のいずれかの光ふぃばケーブルを選択的に接続する切換スイッチ２３を有し、受信部２が切換スイッチ２３を切り換えることで、データパルスを送信する光ファイバケーブルが選択され、フレームパルスの受信時に所定の時間分だけ遅れてデータを正確に受信する結果、極秘データのフレームパルスとデータパルスとの受信によって確実に再現することができ、データの極秘性を的確に実施することができる。
しかも、その際、データパルスは、選択された光ファイバケーブ４ａ，４ｂ…４ｎの長さに応じてさらに遅延されて送信されるので、これによってもデータの極秘性を高めることができる。
【００２２】
また、送信部１及び受信部２のいずれも光スイッチ１３、２３で構成されているので、光データ信号を変換することなくそのまま送信し、かつ受信できるので、データを変換する必要がなく、構成が複雑になるおそれがなく、スムースな送受信が可能となる。
【００２３】
なお、この実施形態において、光スイッチ１３、２３を用いた例を示したが、これに限らず、他の切換スイッチで代用することもでき、図示例に限定されるものではない。
また、送信部１において、データパルス信号を送信するとき、光スイッチ１３が、送信すべきデータに基づき、データ回線４のいずれか一方の光ファイバケーブルを自動的に選択的に切り換えるように構成した例を示したが、送信者が選択するようにしてもよい。
【００２４】
【発明の効果】
以上説明したように、本発明によれば、フレームパルス信号の送受信と、データパルスの送受信とを別々に行い、それぞれの信号を単に受け取ってもデータを再生することができず、フレームパルスとこれに対応するデータパルスとの双方をそれぞれ受信することでデータを再生できるように構成したので、極秘データを第三者に読み取られることなく特定の者同士で送受信できる効果があり、特に、特定の専用線が敷設された設備の中での極秘データの送受信に有益となる。
【図面の簡単な説明】
【図１】本発明の第１の実施の形態に係る光伝送方法を実施するための光伝送装置を示す構成図である。
【符号の説明】
１　送信部
２　受信部
３　フレームパルス用のフレーム回線
４　データパルス用のデータ回線
１１　フレームパルス生成部
１２　データ生成部
２１　フレームパルス受信部
２２　データ受信部
１３、２３　光スイッチ（切換スイッチ）
【図１】
2004129176.tif 000003